(57)【要約】【課題】人の生活パターンを短時間かつ確実に把握し、生活パターンの異変を短時間かつ容易に発見することができる生活要約表現システムを提供する。【解決手段】データ処理部２６は、住居システム１０によりネットワーク１４を介して送信された時系列データに基づいて典型的生活パターンを導出する。また、住居システム１０によりネットワーク１４を介して送信された評価日における時系列データに基づいて評価日における生活パターンの要約を行なうと共に導出された典型的生活パターンの要約を行なう。その要約結果を端末１〜３に送信し、評価日の生活パターンと典型的生活パターンとを識別することができるように異なった目印を用い、それら目印を住居の間取りを表示している画面上に表示すると共に時刻に沿ってそれら目印を移動させる。【選択図】  図１
2004185540.tif 000002
【特許請求の範囲】
【請求項１】
人の移動場所及び時間を含む時系列データを記憶する時系列データ記憶手段と、
前記時系列データ記憶手段により記憶されている評価日以外の時系列データに基づいて典型的生活パターンを導出する典型的生活パターン導出手段と、
前記典型的生活パターン導出手段により導出された典型的生活パターンを要約する第１の要約手段と、
前記時系列データ記憶手段により記憶されている時系列データに基づいて評価日の生活パターンを要約する第２の要約手段と、
前記第１の要約手段により要約された典型的生活パターン及び前記第２の要約手段により要約された評価日の生活パターンを比較可能な状態で表示する表示手段と、
を備えることを特徴とする生活要約表現システム。
【請求項２】
前記典型的生活パターン導出手段は、人が所定の時間に所定の場所に滞在した日数に基づいて典型的生活パターンを導出することを特徴とする請求項１記載の生活要約表現システム。
【請求項３】
前記第１及び第２の要約手段は、所定時間中において、滞在した時間が最大の場所を滞在場所として要約することを特徴とする請求項１又は請求項２に記載の生活要約表現システム。
【請求項４】
前記第１及び第２の要約手段は、所定時間中において特定の場所に滞在したか否かを判定し、前記特定の場所に滞在したと判定された場合には前記特定の場所を所定時間中における滞在場所として要約し、前記特定の場所に滞在しなかったと判定された場合には前記所定時間中において最も長く滞在した場所を滞在場所として要約することを特徴とする請求項１又は請求項２に記載の生活要約表現システム。
【請求項５】
前記第１及び第２の要約手段は、移動場所の情報のみを抽出して要約することを特徴とする請求項１又は請求項２に記載の生活要約表現システム。
【請求項６】
前記表示手段は、前記第１の要約手段により要約された典型的生活パターンと前記第２の要約手段により要約された評価日の生活パターンとを識別することができるように異なった目印を用い、それら目印を住居の間取りを表示している画面上に同時に表示すると共に時刻に沿って前記目印を移動させることを特徴とする請求項１〜請求項５の何れか一項に記載の生活要約表現システム。
【発明の詳細な説明】
【０００１】
【発明の属する技術分野】
この発明は、人の生活パターンを短時間かつ確実に把握し、生活パターンの異変を短時間かつ容易に発見するための生活要約表現システムに関するものである。
【０００２】
【従来の技術】
独居高齢者の増加に伴い、このような高齢者の老人性鬱、自殺、慢性疾患、及び急病等による心身の変化を早期に発見し、このような高齢者が安全且つ健康な生活を維持するためのシステムが求められている。
【０００３】
従来、独居高齢者の緊急を要する事態を早期に発見するために、その高齢者の住居に設置された人感センサより生活信号を検出し、その生活信号が所定時間以上検出されない場合には、その高齢者が外出中である、若しくは緊急を要する事態であると判定し、その判定結果を通知するシステムが存在する（例えば、特許文献１参照）。また、独居高齢者の身体に取り付けられている携帯器により検出される異常信号とセンタユニットにおいて予め登録されている通常生活パターンとを比較することにより異常であるか否かの判定を行うシステムも存在する（例えば、特許文献２参照）。
【０００４】
また、独居高齢者の住居に設置されたドア開閉感知センサ、照明オンオフ感知センサ、及び電気機器使用感知センサより検出される信号とサーバに記憶されている過去の感知センサ検出信号に基づいて作成された判断処理情報とを比較して、異常であるか否かの判断を行なうシステムが存在する（例えば、特許文献３参照）。また、独居高齢者の住居の所要箇所に設置されている人感センサにより検出される滞在場所及び時間を含む生活パターンを所要箇所毎に色分けし、これを時間軸に沿って表示することにより独居高齢者の生活パターンを把握できるようにしたシステムも存在する。このシステムにおいては、人感センサにより検出される滞在場所及び時間を含む生活パターンが、管理サーバにおいて予め登録されている生活異常項目の何れかに該当した場合に、異常であると判断し通知する（例えば、特許文献４参照）。
【０００５】
【特許文献１】
特開昭６２−２６８５２９号公報
【特許文献２】
特開平６−２３１３８２号公報
【特許文献３】
特開平１１−０８８５１８号公報
【特許文献４】
特開２００２−７４５６１号公報
【０００６】
【発明が解決しようとする課題】
しかしながら、特許文献１及び特許文献２に記載されているシステムは、異変発生時にのみ通知するシステムであるため、どのような生活状況の中で異変が生じたのか判別することができない。従って、独居高齢者の家族若しくは介護者等は、異変発生の通知を受信した場合に、その独居高齢者に電話をする若しくはその独居高齢者の住居に出向く等の対応を取る必要があり、異変の確認に長い時間を要するため、このような高齢者の生活パターンの異変に早期に対処することができない。
【０００７】
また、特許文献３に記載されているシステムにおいては、比較対象となる判断処理情報のデータ量が多くなるため、日常生活の状況を短時間かつ確実に把握することができず、生活パターンの異変を短時間かつ容易に発見することができない。また、特許文献４に記載されているシステムにおいては、表、若しくはグラフを用いて生活パターンの全データを表示することから、複雑かつ難解な表、グラフとなり、短時間かつ確実に生活パターンを把握することができず、生活パターンの異変を短時間かつ容易に発見することができない。
【０００８】
この発明の課題は、人の生活パターンを短時間かつ確実に把握し、生活パターンの異変を短時間かつ容易に発見することができる生活要約表現システムを提供することである。
【０００９】
【課題を解決するための手段】
請求項１記載の生活要約表現システムは、人の移動場所及び時間を含む時系列データを記憶する時系列データ記憶手段と、前記時系列データ記憶手段により記憶されている評価日以外の時系列データに基づいて典型的生活パターンを導出する典型的生活パターン導出手段と、前記典型的生活パターン導出手段により導出された典型的生活パターンを要約する第１の要約手段と、前記時系列データ記憶手段により記憶されている時系列データに基づいて評価日の生活パターンを要約する第２の要約手段と、前記第１の要約手段により要約された典型的生活パターン及び前記第２の要約手段により要約された評価日の生活パターンを比較可能な状態で表示する表示手段とを備えることを特徴とする。
【００１０】
また、請求項２記載の生活要約表現システムは、前記典型的生活パターン導出手段が、人が所定の時間に所定の場所に滞在した日数に基づいて典型的生活パターンを導出することを特徴とする。
【００１１】
この請求項１及び請求項２に記載の生活要約表現システムによれば、例えば便所等の滞在時間が短く滞在する時間帯が決まっていないが滞在した事実が異変の発見の参考になる場所等に滞在した場合もその滞在場所を確実に把握することができるため、細かい変化に対応した高精度な典型的生活パターンを導出することができる。また、評価日の生活パターン及び導出された典型的生活パターンの要約を行なうため、短時間かつ確実に評価日の生活パターン及び典型的生活パターンを把握することができ、短時間かつ容易に生活パターンの異変を発見することが可能となる。
【００１２】
また、請求項３記載の生活要約表現システムは、前記第１及び第２の要約手段が所定時間中において、滞在した時間が最大の場所を滞在場所として要約することを特徴とする。
【００１３】
この請求項３に記載の生活要約表現システムによれば、所定時間中に最も長く滞在した場所を滞在場所として評価日の生活パターン及び典型的生活パターンの要約を行なうため、評価日の生活パターン及び典型的生活パターンを短時間かつ確実に把握することができる。
【００１４】
また、請求項４記載の生活要約表現システムは、前記第１及び第２の要約手段が所定時間中において特定の場所に滞在したか否かを判定し、前記特定の場所に滞在したと判定された場合には前記特定の場所を所定時間中における滞在場所として要約し、前記特定の場所に滞在しなかったと判定された場合には前記所定時間中において最も長く滞在した場所を滞在場所として要約することを特徴とする。
【００１５】
この請求項４に記載の生活要約表現システムによれば、所定時間中に例えば便所等の特定の場所に滞在した場合には、その特定の場所を滞在場所とし、所定時間中に特定の場所に滞在していない場合には、所定時間中に最も長く滞在した場所を滞在場所とするため、細かい変化に対応した生活パターンの要約を行なうことができる。従って、評価日の生活パターン及び典型的生活パターンを短時間かつ確実に把握することができる。
【００１６】
また、請求項５記載の生活要約表現システムは、前記第１及び第２の要約手段が移動場所のみの情報を抽出して要約することを特徴とする。
【００１７】
この請求項５記載の生活要約表現システムによれば、移動場所を抽出し、この移動場所に基づいて生活パターンの要約を行なう。従って、滞在場所の変化に着目した評価日の生活パターンの要約及び典型的生活パターンの要約を行うことができるため、生活パターンにおける移動場所の情報を短時間かつ確実に把握することができる。
【００１８】
また、請求項６記載の生活要約表現システムは、前記表示手段が前記第１の要約手段により要約された評価日の生活パターンと前記第２の要約手段により要約された典型的生活パターンとを識別することができるように異なった目印を用い、それら目印を住居の間取りを表示している画面上に同時に表示すると共に時刻に沿って前記目印を移動させることを特徴とする。
【００１９】
この請求項６記載の生活要約表現システムによれば、評価日の生活パターンの要約と典型的生活パターンの要約とを異なった目印を用い住居の間取りを表示している画面上に同時に表示するため、評価日の生活パターンと典型的生活パターンとの比較を短時間かつ容易に行なうことができ、評価日の生活パターンと典型的生活パターンとの相違点を短時間かつ確実に発見することができる。また、時刻の経過に沿って評価日の生活パターンの目印と典型的生活パターンの目印が移動するため、生活パターンを動的に把握し認識することができる。従って、評価日の生活パターン及び典型的生活パターンを短時間かつ確実に把握することができ、短時間かつ容易に生活パターンの異変を発見することが可能となる。
【００２０】
【発明の実施の形態】
以下、図面を参照して、この発明の第１の実施の形態について説明する。図１は、この発明の第１の実施の形態にかかる生活要約表現システムを示すブロック構成図である。この図に示すように、生活要約表現システムは、被験者の住居に設置されている住居システム１０、評価日における被験者の生活パターンの要約並びに典型的生活パターンの導出及び要約を行なうセンタ内管理サーバ１２、センタ内管理サーバ１２により要約される評価日の生活パターン及び典型的生活パターンの表示を行なう端末１〜３を備えている。住居システム１０とセンタ内管理サーバ１２は、ネットワーク１４を介して接続されており、センタ内管理サーバ１２と端末１〜３は、ネットワーク１６を介して接続されている。住居システム１０は、被験者がその場所に滞在しているか否かを検出する人感センサ１〜５を備えている。ここで、人感センサ１は玄関、人感センサ２は台所、人感センサ３は居間、人感センサ４は寝室、人感センサ５は便所にそれぞれ設置されている。
【００２１】
更に、住居システム１０は、被験者の移動場所及び時間を含む時系列データの記憶を行なうと共にデータ通信制御を行なう住居内管理サーバ１８を備えている。住居内管理サーバ１８は、データ処理部２０、時系列データ記憶部２２、及び通信制御部２４を備えている。データ処理部２０には、人感センサ１〜５より送信される被験者の移動場所及び時間を含む時系列データが記憶されている時系列データ記憶部２２が接続されている。また、データ処理部２０には、センタ内管理サーバ１２との間の通信制御を行なう通信制御部２４が接続されている。
【００２２】
センタ内管理サーバ１２は、時系列データに基づいて被験者の評価日の日常パターンを要約すると共に典型的生活パターンを導出し要約するデータ処理部２６を備えている。このデータ処理部２６には、住居システム１０により送信される時系列データが記憶されている時系列データ記憶部２８、典型的生活パターンが記憶されている典型的生活パターン記憶部３０、並びに住居システム１０及び端末１〜３との間の通信制御を行なう通信制御部３２が接続されている。なお、端末１〜３は、被験者の家族の住居、被験者の医者の住居、又は被験者の介護人の住居等に設置することが可能である。
【００２３】
次に、図２に示すフローチャートを参照して、第１の実施の形態にかかる生活要約表現システムにおける生活パターン要約処理について説明する。
【００２４】
まず、図２のフローチャートに示す処理の前に住居システム１０において収集された時系列データがネットワーク１４を介してセンタ内管理サーバ１２に送信され記憶される。即ち、住居内管理サーバ１８に備えられているデータ処理部２０は、人感センサ１〜５の何れか１つの人感センサから信号を受信しているか否かの判定を行う。人感センサ１〜５の何れか１つの人感センサから信号を受信している場合には、被験者が住居内に滞在していると判定し、人感センサ１〜５より送信される信号に基づいて、被験者が同一の場所に３０秒以上滞在したか否かの判定を行う。一方、人感センサ１〜５の何れの人感センサからも信号を受信していない場合には、被験者が外出中であると判定する。即ち、被験者の外出が３０秒以上続いているか否かの判定を行う。
【００２５】
データ処理部２０は、被験者が同一の場所に３０秒以上滞在した、若しくは被験者の外出が３０秒以上続いたと判定された場合には、被験者がその場所に滞在したとみなす。そして、その場所に移動する直前に滞在していた場所、及びその場所に移動する直前に滞在していた場所から現在の場所に移動した時間を、時系列データとして時系列データ記憶部２２に記憶させる。一方、被験者が同一の場所に３０秒以上滞在しなかった、若しくは被験者の外出が３０秒以上続いていないと判定された場合には、被験者がその場所に滞在していないとみなす。即ち、その場所に移動する直前に滞在していた場所に滞在し続けているとみなす。このようにして、被験者の移動場所及び時間を含む時系列データを時系列データ記憶部２２に記憶させて、１日間分の時系列データを取得する。
【００２６】
データ処理部２０は、時系列データ記憶部２２に記憶されている１日間分の時系列データを、１日に１度、所定の時間に通信制御部２４及びネットワーク１４を介してセンタ内管理サーバ１２に送信する。センタ内管理サーバ１２に備えられているデータ処理部２６は、住居内管理サーバ１８よりネットワーク１４を介して送信された１日間分の時系列データを受信し、時系列データ記憶部２８に記憶させる。
【００２７】
次に、図２に示すフローチャートを参照して、生活要約表現システムにおける生活要約処理について説明する。センタ内管理サーバ１２に備えられているデータ処理部２６は、時系列データ記憶部２８により記憶されている評価日及び過去数か月分（この実施の形態においては、１００日分）の被験者の移動場所及び時間を含む時系列データを読み込む（ステップＳ１０）。
【００２８】
次に、ステップＳ１０において読み込まれた評価日を除く過去１００日分の時系列データに基づいて典型的生活パターンを導出する（ステップＳ１１）。まず、１日を１５秒間隔に区切り、５７６０個のデータ列を作成する。次に、１日の最初の１５秒間において、場所を移動したか否かの判定を行なう。場所を移動したと判定された場合には、移動する前の場所における滞在時間と移動した後における滞在時間を比較し、長く滞在した場所をその最初の１５秒間における滞在場所とする。一方、場所を移動していないと判定された場合には、その場所を滞在場所とする。上述の滞在場所導出方法と同様にして、次の１５秒間における滞在場所を導出し、その動作を１日の最後の１５秒間における滞在場所を導出するまで繰り返す。上述と同様にして、過去１００日分それぞれの日毎に、各１５秒間における滞在場所を導出する。即ち、過去１００日間分のそれぞれの日毎に５７６０個の滞在場所に関するデータを導出する。そして、１５秒間隔に区切られた所定の時間帯に所定の場所に滞在した日数（χ）を導出する。その導出結果の一部を表１に示す。
【００２９】
【表１】
2004185540.tif 000003
【００３０】
過去１００日分それぞれの日の所定の場所に滞在した日数である１番目〜５７６０番目のデータを合計し平均化した値（χＡＶＥ）（この実施の形態においては、表１に示すように、外出は１２．０、玄関は１．５、台所は３６．６、居間は７．９、寝室は４２．３、便所は１．１）に基づいて場所毎の標準偏差（Ｓ）を算出する。具体的には、数式１を用いる。
【００３１】
【数１】
2004185540.tif 000004
【００３２】
ここで、ｎは、過去１００日分それぞれの日におけるサンプル数（この実施の形態においては、５７６０）である。なお、場所毎の標準偏差は、この実施の形態においては、表１に示すように、外出は１３．７、玄関は１．８、台所は２３．７、居間は６．３、寝室は３３．１、便所は１．１である。この算出された場所毎の標準偏差に基づいて所定の時間帯における所定の場所の標準得点を算出する。ここで、所定の場所の５７６０個のデータ列のうち、第ｉ番目のデータをχｉ（この実施の形態においては、例えば台所の１番目のデータχ１は２、２番目のデータχ２は３、１４００番目のデータχ１４００は３３、３０００番目のデータχ３０００は５４、５７６０番目のデータχ５７６０は２）、第ｉ番目の標準得点をｚｉとすると、数式２により算出される。なお、標準得点は、それぞれの場所のそれぞれの時間帯において算出される。
【００３３】
【数２】
2004185540.tif 000005
【００３４】
この算出された所定の場所の第ｉ番目の標準得点とその他の所定の場所の第ｉ番目の標準得点とを比較し、標準得点が最も大きい場所を第ｉ番目の時間帯における滞在場所とする。上述と同様にして、１番目〜５７６０番目の全ての場所毎の標準得点に基づいて滞在場所を導出し、典型的生活パターンを導出する。次に、データ処理部２６は、ステップＳ１１において導出された典型的生活パターンを典型的生活パターン記憶部３０に記憶させる（ステップＳ１２）。
【００３５】
次に、データ処理部２６は、ステップＳ１０において読み込まれた評価日の時系列データに基づいて第１の要約方法により評価日の生活パターンを要約する（ステップＳ１３）。即ち、評価日を１０分間隔に区切り、評価日の最初の１０分間に最も長く滞在した場所を滞在場所とする。次に、上述の滞在場所導出方法と同様にして、評価日の次の１０分間における滞在場所を導出し、その動作を評価日の最後の１０分間における滞在場所を導出するまで繰り返す。導出された１０分間毎における滞在場所を示すデータを評価日の生活パターンの要約とする。
【００３６】
次に、典型的生活パターン記憶部３０により記憶されている典型的生活パターンを読み込み、読み込まれた典型的生活パターンを要約する（ステップＳ１４）。即ち、１５秒間隔に区切られている５７６０個の滞在場所のデータを時間軸に沿って４０個毎に区切る、即ち、１０分毎における滞在場所のデータ列に区切る。区切られた４０個の時間軸に沿った滞在場所のデータ列の中で最も多い滞在場所のデータをその１０分間における滞在場所とする。
【００３７】
次に、データ処理部２６は、ステップＳ１３において導出された評価日の生活パターンの要約結果及びステップＳ１４において導出された典型的生活パターンの要約結果を通信制御部３２及びネットワーク１６を介して端末１〜３に送信する。端末１〜３は、図３に示すように、評価日の生活パターンの要約結果を表示するために人間の形をした記号（目印）を用いると共に典型的生活パターンの要約結果を表示するために半透明な人間の形をした記号（目印）を用い、それら記号（目印）を住居の間取りを表示している画面上に同時に表示すると共に時刻に沿ってそれら記号（目印）を移動させる（ステップＳ１５）。
【００３８】
この第１の実施の形態にかかる生活要約表現システムによれば、１５秒間毎において算出された場所毎の標準得点が最も大きい場所をその１５秒間における滞在場所とし典型的生活パターンを導出するため、例えば便所等の滞在時間が短く滞在する時間帯が決まっていないが滞在したことが重要である場所等に滞在した場合もその滞在場所を確実に見落とすことなく把握することができる。従って、細かい変化に対応した高精度な典型的生活パターンを導出することができる。また、１０分間毎に最も長く滞在した場所を滞在場所とし生活パターンの要約を行うため、評価日の生活パターン及び典型的生活パターンを短時間かつ確実に把握することができる。
【００３９】
また、評価日の生活パターンの要約を表示するために人間の形をした記号（目印）を用いると共に、典型的生活パターンの要約を表示するために半透明の人間の形をした記号（目印）を用い住居の間取りを表示している画面上に同時に表示する。従って、評価日の生活パターンと典型的生活パターンとの比較を短時間かつ容易に行なうことができ、評価日の生活パターンと典型的生活パターンとの相違点を短時間かつ確実に発見することができる。また、時刻の経過に沿って評価日の生活パターンの記号（目印）と典型的生活パターンの記号（目印）が移動するため、生活パターンを動的に把握し認識することができる。従って、短時間かつ容易に生活パターンの異変を発見することが可能となる。
【００４０】
次に、図４を参照して、この発明の第２の実施の形態にかかる生活要約表現システムについて説明する。なお、この第２の実施の形態にかかる生活要約表現システムは、図１に示す第１の実施の形態にかかる生活要約表現システムと同一の構成である。
【００４１】
まず、住居システム１０において収集された時系列データがネットワーク１４を介してセンタ内管理サーバ１２に送信され記憶される。なお、住居システム１０における動作は、第１の実施の形態にかかる住居システム１０における動作と同一であるため、詳細な説明を省略する。
【００４２】
次に、図４に示すフローチャートを参照して、第２の実施の形態にかかる生活要約表現システムの処理について説明する。データ処理部２６は、時系列データ記憶部２８により記憶されている評価日及び過去数か月分（この実施の形態においては、１００日分）の被験者の移動場所及び時間を含む時系列データを読み込む（ステップＳ２０）。次に、ステップＳ２０において読み込まれた評価日を除く過去１００日分の時系列データに基づいて典型的生活パターンを導出する（ステップＳ２１）。なお、典型的生活パターンの導出は、第１の実施の形態にかかる典型的生活パターンの導出と同一のため、詳細な説明を省略する。
【００４３】
次に、データ処理部２６は、ステップＳ２０において読み込まれた評価日の時系列データに基づいて第２の要約方法により評価日の生活パターンを要約する（ステップＳ２３）。即ち、評価日を１０分間隔に区切り、評価日の最初の１０分間において、例えば便所等の特定の場所に滞在したか否かの判定を行なう。特定の場所に滞在したと判定された場合には、特定の場所をその最初の１０分間における滞在場所とする。一方、特定の場所に滞在していなかったと判定された場合には、その最初の１０分間に最も長く滞在した場所を滞在場所とする。次に、上述の滞在場所導出方法と同様にして、評価日の次の１０分間における滞在場所を導出し、その動作を評価日の最後の１０分間における滞在場所を導出するまで繰り返す。
【００４４】
次に、典型的生活パターン記憶部３０により記憶されている典型的生活パターンを読み込み、読み込まれた典型的生活パターンの要約を行なう（ステップＳ２４）。即ち、１５秒間隔に区切られている５７６０個の滞在場所のデータを時間軸に沿って４０個毎に区切る、即ち、１０分毎における滞在場所のデータ列に区切る。区切られた４０個の時間軸に沿った滞在場所のデータ列の中で、例えば便所等の特定の場所のデータが含まれているか否かの判定を行なう。特定の場所のデータが含まれていると判定された場合には、特定の場所をその１０分間における滞在場所とする。一方、特定の場所のデータが含まれていないと判定された場合には、１０分間における滞在場所のデータ列の中で最も多い滞在場所のデータをその１０分間における滞在場所とする。
【００４５】
次に、データ処理部２６は、ステップＳ２３において導出された評価日の生活パターンの要約結果及びステップＳ２４において導出された典型的生活パターンの要約結果を通信制御部３２及びネットワーク１６を介して端末１〜３に送信する。端末１〜３は、図３に示すように、評価日の生活パターンの要約結果を表示するために人間の形をした記号（目印）を用いると共に典型的生活パターンの要約結果を表示するために半透明な人間の形をした記号（目印）を用い、それら記号（目印）を住居の間取りを表示している画面上に同時に表示すると共に時刻に沿ってそれら記号（目印）を移動させる（ステップＳ２５）。
【００４６】
この第２の実施の形態にかかる生活要約表現システムによれば、１５秒間毎において算出された場所毎の標準得点が最も大きい場所をその１５秒間における滞在場所とし典型的生活パターンを導出するため、例えば便所等の滞在時間が短く滞在する時間帯が決まっていないが滞在したことが重要である場所等に滞在した場合もその滞在場所を確実に見落とすことなく把握することができる。従って、細かい変化に対応した高精度な典型的生活パターンを導出することができる。また、１０分間毎に例えば便所等の特定の場所に滞在した場合には、その特定の場所を滞在場所とし、所定時間中に特定の場所に滞在していない場合には、所定時間中に最も長く滞在した場所を滞在場所とするため、細かい変化に対応した生活パターンの要約を行なうことができる。従って、評価日の生活パターン及び典型的生活パターンを短時間かつ確実に把握することができる。
【００４７】
また、評価日の生活パターンの要約を表示するために人間の形をした記号（目印）を用いると共に、典型的生活パターンの要約を表示するために半透明な人間の形をした記号（目印）を用い住居の間取りを表示している画面上に同時に表示し、時刻の経過に沿って評価日の生活パターンの記号（目印）と典型的生活パターンの記号（目印）が移動するため、生活パターンを動的に把握し認識することができる。従って、短時間かつ容易に生活パターンの異変を発見することが可能となる。
【００４８】
次に、図５を参照して、この発明の第３の実施の形態にかかる生活要約表現システムについて説明する。なお、この第３の実施の形態にかかる生活要約表現システムは、図１に示す第１の実施の形態にかかる生活要約表現システムと同一の構成である。
【００４９】
まず、住居システム１０において収集された時系列データがネットワーク１４を介してセンタ内管理サーバ１２に送信され記憶される。なお、住居システム１０における動作は、第１の実施の形態にかかる住居システム１０における動作と同一であるため、詳細な説明を省略する。
【００５０】
次に、図５に示すフローチャートを参照して、第３の実施の形態にかかる生活要約表現システムの処理について説明する。データ処理部２６は、時系列データ記憶部２８により記憶されている評価日及び過去数か月分（この実施の形態においては、１００日分）の被験者の移動場所及び時間を含む時系列データを読み込む（ステップＳ３０）。次に、ステップＳ３０において読み込まれた評価日を除く過去１００日分の時系列データに基づいて典型的生活パターンを導出する（ステップＳ３１）。なお、典型的生活パターンの導出は、第１の実施の形態にかかる典型的生活パターンの導出と同一のため、詳細な説明を省略する。
【００５１】
次に、データ処理部２６は、ステップＳ３０において読み込まれた評価日の時系列データに基づいて第３の要約方法により評価日の生活パターンを要約する（ステップＳ３３）。即ち、評価日の時系列データの中の最初の滞在場所から次の場所に移動した時の移動場所のデータを抽出する。上述と同様にして、場所を移動した時の移動場所のデータのみを抽出して、評価日の生活パターンの要約とする。
【００５２】
次に、典型的生活パターン記憶部３０により記憶されている典型的生活パターンを読み込み、読み込まれた典型的生活パターンの要約を行なう（ステップＳ３４）。まず、１５秒間隔に区切られている１番目〜５７６０番目の滞在場所のデータの中の１番目の滞在場所のデータを記憶する。次に、１番目の滞在場所から次の場所に移動した時の移動場所のデータを抽出する。上述と同様にして、場所を移動した時の移動場所のデータのみを抽出する。
【００５３】
次に、データ処理部２６は、ステップＳ３３において導出された評価日の生活パターンの要約結果及びステップＳ３４において導出された典型的生活パターンの要約結果を通信制御部３２及びネットワーク１６を介して端末１〜３に送信する。端末１〜３は、図３に示すように、評価日の生活パターンの要約結果を表示するために人間の形をした記号（目印）を用いると共に典型的生活パターンの要約結果を表示するために半透明な人間の形をした記号（目印）を用い、それら記号（目印）を住居の間取りを表示している画面上に同時に表示すると共に時刻に沿ってそれら記号（目印）を移動させる（ステップＳ３５）。
【００５４】
この第３の実施の形態にかかる生活要約表現システムによれば、１５秒間毎において算出された場所毎の標準得点が最も大きい場所をその１５秒間における滞在場所とし典型的生活パターンを導出するため、例えば便所等の滞在時間が短く滞在する時間帯が決まっていないが滞在したことが重要である場所等に滞在した場合その滞在場所を確実に見落とすことなく把握することができる。従って、細かい変化に対応した高精度な典型的生活パターンを導出することができる。また、場所を移動した時の移動場所のデータのみを抽出するため、滞在場所の変化に着目した生活パターンの要約を行なうことができる。従って、評価日の生活パターン及び典型的生活パターンを短時間かつ容易に把握することができる。
【００５５】
また、評価日の生活パターンの要約を表示するために人間の形をした記号（目印）を用いると共に、典型的生活パターンの要約を表示するために半透明な人間の形をした記号（目印）を用い住居の間取りを表示している画面上に同時に表示し、時刻の経過に沿って評価日の生活パターンの記号（目印）と典型的生活パターンの記号（目印）が移動するため、生活パターンを動的に把握し認識することができる。従って、短時間かつ容易に生活パターンの異変を発見することが可能となる。
【００５６】
【発明の効果】
この発明によれば、例えば便所等の滞在時間が短く滞在する時間帯が決まっていないが滞在したことが重要である場所等に滞在した場合もその滞在場所を確実に見落とすことなく把握することができる。従って、細かい変化に対応した高精度な典型的生活パターンを導出することができる。また、評価日の生活パターン及び典型的生活パターンの要約を行なうため、評価日の生活パターン及び典型的生活パターンを短時間かつ確実に把握することができる。
【００５７】
また、評価日の生活パターンの要約と典型的生活パターンの要約とを異なった目印を用い住居の間取りを表示している画面上に同時に表示するため、評価日の生活パターンと典型的生活パターンとの比較を短時間かつ容易に行なうことができる。また、時刻の経過に沿って評価日の生活パターンの目印と典型的生活パターンの目印が移動するため、生活パターンを動的に把握し認識することができる。従って、動きが伴った生活パターンの要約を画面上に表示するため、短時間かつ容易に生活パターンを把握することができ、短時間かつ確実に生活パターンの異変を発見することが可能となる。
【図面の簡単な説明】
【図１】この発明の第１の実施の形態にかかる生活要約表現システムのブロック構成図である。
【図２】この発明の第１の実施の形態にかかる生活要約表現システムの生活要約表現処理を示すフローチャートである。
【図３】この発明の第１〜第３の実施の形態にかかる生活要約表現システムの表示を示す図である。
【図４】この発明の第２の実施の形態にかかる生活要約表現システムの生活要約表現処理を示すフローチャートである。
【図５】この発明の第３の実施の形態にかかる生活要約表現システムに生活要約表現処理を示すフローチャートである。
【符号の説明】
１０…住居システム、１２…センタ内管理サーバ、１４、１６…ネットワーク、１８…住居内管理サーバ、２０…データ処理部、２２…時系列データ記憶部、２４…通信制御部、２６…データ処理部、２８…時系列データ記憶部、３０…典型的生活パターン記憶部、３２…通信制御部
【図１】
2004185540.tif 000006
【図２】
2004185540.tif 000007
【図３】
2004185540.tif 000008
【図４】
2004185540.tif 000009
【図５】
2004185540.tif 000010